(57)【要約】  液晶層の厚みがＲ画素＞Ｇ画素＞Ｂ画素である液晶表示装置において、Ｒ，Ｇ，Ｂ画素それぞれに同一の階調（１０２３階調）を連続して表示するときには、Ｒ画素に正極性信号電位（ＳＨＲ１０２３）と負極性信号電位（ＳＬＲ１０２３）とを交互に供給し、Ｇ画素に正極性信号電位（ＳＨＧ１０２３）と負極性信号電位（ＳＬＧ１０２３）とを交互に供給し、Ｂ画素に正極性信号電位（ＳＨＢ１０２３）と負極性信号電位（ＳＬＢ１０２３）とを交互に供給する。  ＳＨＲ１０２３およびＳＬＲ１０２３の中間値である第１中間値（ＳＭＲ１０２３）は、ＳＨＧ１０２３およびＳＬＧ１０２３の中間値である第２中間値（ＳＭＧ１０２３）よりも高く設定され、第２中間値（ＳＭＧ１０２３）は、ＳＨＢ１０２３およびＳＬＢ１０２３の中間値である第３中間値（ＳＭＢ１０２３）よりも高く設定される。  本発明によると、Ｒ，Ｇ，Ｂ画素の引き込み電圧の相異を補償することができ、画素の焼き付きの問題が改善される。
2010122753.tif 000002
【特許請求の範囲】
【請求項１】
複数の走査信号線と、複数のデータ信号線と、第１液晶層を含む第１画素と、第１液晶層以下の厚みの第２液晶層を含む第２画素と、第２液晶層よりも小さな厚みの第３液晶層を含む第３画素とを備え、１本の走査信号線が選択状態から非選択化されるときに該走査信号線の電位が低下する液晶表示装置であって、
第１〜第３画素それぞれに同一の階調が所定期間連続して表示されるときには、第１画素に第１正極性信号電位と第１負極性信号電位とが交互に供給され、第２画素に第２正極性信号電位と第２負極性信号電位とが交互に供給され、第３画素に第３正極性信号電位と第３負極性電位とが交互に供給され、
上記第１正極性信号電位および第１負極性信号電位の中間値である第１中間値は、上記第２正極性信号電位および第２負極性信号電位の中間値である第２中間値以上に設定され、該第２中間値は、上記第３正極性信号電位および第３負極性信号電位の中間値である第３中間値よりも高く設定されていることを特徴とする液晶表示装置。
【請求項２】
第１液晶層は第１画素に含まれる画素電極と共通電極との間に配され、第２液晶層は第２画素に含まれる画素電極と上記共通電極との間に配され、第３液晶層は第３画素に含まれる画素電極と上記共通電極との間に配され、
上記第１〜第３中間値それぞれが、上記共通電極の電位よりも高く設定されていることを特徴とする請求項１記載の液晶表示装置。
【請求項３】
第１中間値は、上記共通電極の電位に、上記階調を表示するときの第１画素での引き込み電圧を加えたものであり、第２中間値は、上記共通電極の電位に、上記階調を表示するときの第２画素での引き込み電圧を加えたものであり、第３中間値は、上記共通電極の電位に、上記階調を表示するときの第３画素での引き込み電圧を加えたものであることを特徴とする請求項２記載の液晶表示装置。
【請求項４】
第１画素に対応する色の波長は第２画素に対応する色の波長よりも長く、第２画素に対応する色の波長は第３画素に対応する色の波長よりも長いことを特徴とする請求項１〜３のいずれか１項に記載の液晶表示装置。
【請求項５】
第１画素が赤、第２画素が緑、第３画素が青に対応していることを特徴とする請求項４記載の液晶表示装置。
【請求項６】
第１液晶層の厚み＝第２液晶層の厚み＞第３液晶層の厚みであり、上記第１中間値＝第２中間値＞第３中間値に設定されていることを特徴とする請求項５に記載の液晶表示装置。
【請求項７】
上記第１〜第３中間値が、上記階調に応じて決定されていることを特徴とする請求項１〜５のいずれか１項に記載の液晶表示装置。
【請求項８】
第１〜第３液晶層はＶＡモードであることを特徴とする請求項１〜７のいずれか１項に記載の液晶表示装置。
【請求項９】
第１液晶層以下で第２液晶層以上の厚みの第４液晶層を含む第４画素をさらに備え、
上記第４画素にも第１〜第３画素と同一の階調が所定期間連続して表示されるときには、第４画素に第４正極性信号電位と第４負極性電位とが交互に供給され、
上記第１中間値は、上記第４正極性信号電位および第４負極性信号電位の中間値である第４中間値以上に設定され、上記第２中間値は、第４中間値以下に設定されていることを特徴とする請求項１記載の液晶表示装置。
【請求項１０】
第１画素が赤、第２画素が緑、第３画素が青、第４画素が黄に対応していることを特徴とする請求項９記載の液晶表示装置。
【請求項１１】
上記第１液晶層の厚み＝第２液晶層の厚み＝第４液晶層の厚み＞第３液晶層の厚みであり、上記第１中間値＝第２中間値＝第４中間値＞第３中間値に設定されていることを特徴とする請求項１０に記載の液晶表示装置。
【請求項１２】
複数の走査信号線と、複数のデータ信号線と、第１液晶層を含む第１画素と、第１液晶層以下の厚みの第２液晶層を含む第２画素と、第２液晶層よりも小さな厚みの第３液晶層を含む第３画素とを備え、１本の走査信号線が選択状態から非選択化されるときに該走査信号線の電位が低下する液晶表示装置を駆動するための、液晶表示装置の駆動回路であって、
第１〜第３画素それぞれに同一の階調を所定期間連続して表示するときには、第１画素に第１正極性信号電位と第１負極性信号電位とを交互に供給し、第２画素に第２正極性信号電位と第２負極性信号電位とを交互に供給し、第３画素に第３正極性信号電位と第３負極性電位とを交互に供給し、
上記第１正極性信号電位および第１負極性信号電位の中間値である第１中間値を、上記第２正極性信号電位および第２負極性信号電位の中間値である第２中間値以上に設定し、該第２中間値を、上記第３正極性信号電位および第３負極性信号電位の中間値である第３中間値よりも高く設定していることを特徴とする液晶表示装置の駆動回路。
【請求項１３】
複数の走査信号線と、複数のデータ信号線と、第１液晶層を含む第１画素と、第１液晶層以下の厚みの第２液晶層を含む第２画素と、第２液晶層よりも小さな厚みの第３液晶層を含む第３画素とを備え、１本の走査信号線が選択状態から非選択化されるときに該走査信号線の電位が低下する液晶表示装置を駆動するための、液晶表示装置の駆動方法であって、
第１〜第３画素それぞれに同一の階調を所定期間連続して表示するときには、第１画素に第１正極性信号電位と第１負極性信号電位とを交互に供給し、第２画素に第２正極性信号電位と第２負極性信号電位とを交互に供給し、第３画素に第３正極性信号電位と第３負極性電位とを交互に供給し、
上記第１正極性信号電位および第１負極性信号電位の中間値である第１中間値を、上記第２正極性信号電位および第２負極性信号電位の中間値である第２中間値以上に設定し、該第２中間値を、上記第３正極性信号電位および第３負極性信号電位の中間値である第３中間値よりも高く設定していることを特徴とする液晶表示装置の駆動方法。
【請求項１４】
請求項１〜１１のいずれか１項に記載の液晶表示装置と、テレビジョン放送を受信するチューナ部とを備えることを特徴とするテレビジョン受像機。
【発明の詳細な説明】
【技術分野】
【０００１】
本発明は、マルチギャップ構造の液晶表示装置に関する。
【背景技術】
【０００２】
液晶表示装置には、例えばＲ（赤）・Ｇ（緑）・Ｂ（青）それぞれに対応する画素が設けられるが、液晶層の厚みが均一なモノギャップ構造の液晶表示装置では、液晶層のリタデーションの波長依存性に起因して、特に黒表示時の斜め視野角で色付きが生じる（例えば、青味がかった黒）になる。この色付きが低減するように、Ｒ・Ｇ・Ｂ画素ごとに階調−輝度特性（ガンマ曲線）を設定することもなされているが、こうすると正面視での黒の輝度が変化してコントラストが低下するという問題がある。そこで、このような色付きを低減させながらコントラストも維持するための手法として、Ｒ・Ｇ・Ｂ画素ごとに液晶層の厚みを変えてリタデーションの波長依存性を補償するマルチギャップ構造が提案されている（例えば、特許文献１参照）。【０００３】
ところで、液晶表示装置には、図１６に示すように、トランジスタのドレイン電極（およびこれに電気的に接続された画素電極）と走査信号線との間の寄生容量Ｃｇｄ、並びにトランジスタのドレイン電極（およびこれに電気的に接続された画素電極）とトランジスタのソース電極（およびこれに電気的に接続されたデータ信号線）との間の寄生容量Ｃｓｄが生じ、これら寄生容量に起因して、トランジスタがＯＦＦ（走査信号が非アクティブ化）したときに、画素（画素電極）の電位が低下する現象が知られている。この電位低下量（絶対値）を引き込み電圧（ΔＱ）といい、画素に供給する信号電位をＳとすると、Ｓ−ΔＱが画素にかかる実効電位となる（以下では、共通電極の電位Ｖｃｏｍを基準とした実効電位の絶対値を実効電圧と称する）。なお、走査信号線に供給される走査信号のアクティブ電位をＶＨ、非アクティブ電位をＶＬ、液晶容量をＣｌｃ、保持（補助）容量Ｃｃｓとすれば、引き込み電圧ΔＱ＝Ｃｇｄ×（ＶＨ−ＶＬ）／（Ｃｃｓ＋Ｃｓｄ＋Ｃｇｄ＋Ｃｌｃ）となる。【０００４】
したがって図２１に示すように、Ｒ画素に階調Ｘを連続表示するときには、信号電位ＳＨＲＸ（正極性駆動時）と信号電位ＳＬＲＸ（負極性駆動時）とを交互に該Ｒ画素に供給し、信号電位ＳＨＲＸ＝正極性駆動時の実効電位ＥＨＲＸ＋ΔＱｘ、信号電位ＳＬＲＸ＝負極性駆動時の実効電位ＥＬＲＸ＋ΔＱｘと設定する。なお、正極性駆動時の実効電位ＥＨＲＸと負極性駆動時の実効電位ＥＬＲＸとの中間値＝（ＥＨＲＸ＋ＥＬＲＸ）／２＝{（ＳＬＲＸ＋ＳＨＲＸ）／２}−ΔＱｘ＝Ｖｃｏｍ（共通電極の電位）であるから、信号電位ＳＨＲＸと信号電位ＳＬＲＸとの中間値ＳＭＲＸ＝（ＳＨＲＸ＋ＳＬＲＸ）／２＝Ｖｃｏｍ＋ΔＱｘとしている。【０００５】
また、図２１に示すように、Ｇ画素に階調Ｘを連続表示するときには、信号電位ＳＨＧＸ（正極性駆動時）と信号電位ＳＬＧＸ（負極性駆動時）とを交互に該Ｇ画素に供給し、信号電位ＳＨＧＸ＝正極性駆動時の実効電位ＥＨＧＸ＋ΔＱｘ、信号電位ＳＬＧＸ＝負極性駆動時の実効電位ＥＬＧＸ＋ΔＱｘと設定する。なお、正極性駆動時の実効電位ＥＨＧＸと負極性駆動時の実効電位ＥＬＧＸとの中間値＝（ＥＨＧＸ＋ＥＬＧＸ）／２＝{（ＳＬＧＸ＋ＳＨＧＸ）／２}−ΔＱｘ＝Ｖｃｏｍ（共通電極の電位）であるから、信号電位ＳＨＧＸと信号電位ＳＬＧＸとの中間値ＳＭＧＸ＝（ＳＨＧＸ＋ＳＬＧＸ）／２＝Ｖｃｏｍ＋ΔＱｘとしている。【０００６】
また、図２１に示すように、Ｂ画素に階調Ｘを連続表示するときには、信号電位ＳＨＢＸ（正極性駆動時）と信号電位ＳＬＢＸ（負極性駆動時）とを交互に該Ｂ画素に供給し、信号電位ＳＨＢＸ＝正極性駆動時の実効電位ＥＨＢＸ＋ΔＱｘ、信号電位ＳＬＢＸ＝負極性駆動時の実効電位ＥＬＢＸ＋ΔＱｘと設定する。なお、正極性駆動時の実効電位ＥＨＢＸと負極性駆動時の実効電位ＥＬＢＸとの中間値＝（ＥＨＢＸ＋ＥＬＢＸ）／２＝{（ＳＬＢＸ＋ＳＨＢＸ）／２}−ΔＱｘ＝Ｖｃｏｍ（共通電極の電位）であるから、信号電位ＳＨＢＸと信号電位ＳＬＢＸとの中間値ＳＭＢＸ＝（ＳＨＢＸ＋ＳＬＢＸ）／２＝Ｖｃｏｍ＋ΔＱｘとしている。【０００７】
このように、Ｒ画素・Ｇ画素・Ｂ画素それぞれに同一階調Ｘを表示するときには、Ｒ画素に供給する信号電位の中間値ＳＭＲＸ、Ｇ画素に供給する信号電位の中間値ＳＭＧＸ、およびＢ画素に供給する信号電位の中間値ＳＭＢＸが揃うことになる。
【先行技術文献】
【特許文献】
【０００８】
【特許文献１】日本国公開特許公報「特開２００７−２３３３３６号公報（２００７年９月１３日公開）」
【発明の概要】
【発明が解決しようとする課題】
【０００９】
本願発明者らは、上記マルチギャップ構造の液晶表示装置において、図２１と同様にＲ画素・Ｇ画素・Ｂ画素に供給する信号電位（ＳＨＲＸ・ＳＬＲＸ・ＳＨＧＸ・ＳＬＧＸ・ＳＨＢＸ・ＳＬＢＸ）を設定すると、画素の焼き付き等の不具合が生じることを見出した。【００１０】
本発明は、マルチギャップ構造の液晶表示装置の表示品位を高めることを目的とする。
【課題を解決するための手段】
【００１１】
本発明の液晶表示装置は、複数の走査信号線と、複数のデータ信号線と、第１液晶層を含む第１画素と、第１液晶層よりも薄い第２液晶層を含む第２画素と、第２液晶層よりも薄い第３液晶層を含む第３画素とを備え、１本の走査信号線が選択状態から非選択化されるときに該走査信号線の電位が低下する液晶表示装置であって、第１〜第３画素それぞれに同一の階調が所定期間連続して表示されるときには、第１画素に第１正極性信号電位と第１負極性信号電位とが交互に供給され、第２画素に第２正極性信号電位と第２負極性信号電位とが交互に供給され、第３画素に第３正極性信号電位と第３負極性電位とが交互に供給され、上記第１正極性信号電位および第１負極性信号電位の中間値（振幅中心）である第１中間値は、上記第２正極性信号電位および第２負極性信号電位の中間値（振幅中心）である第２中間値よりも高く、該第２中間値は、上記第３正極性信号電位および第３負極性信号電位の中間値（振幅中心）である第３中間値よりも高く設定されていることを特徴とする。【００１２】
第１液晶層の厚み＞第２液晶層の厚み＞第３液晶層の厚みとなるマルチギャップ構造の液晶表示装置では、第３画素の液晶容量＞第２画素の液晶容量＞第１画素の液晶容量となるため、第１〜第３画素に同一階調を表示するときでも、第１画素での引き込み電圧＞第２画素での引き込み電圧＞第３画素での引き込み電圧となる。そこで上記のように、第１中間値＞第２中間値＞第３中間値とすれば、画素間の引き込み電圧の相異を補償することができ、画素の焼き付き等の問題を改善することができる。
【発明の効果】
【００１３】
本発明によれば、マルチギャップ構造の液晶表示装置における画素間の引き込み電圧の相異を容易に補償することができ、画素の焼き付き等の問題を改善することができる。
【図面の簡単な説明】
【００１４】
【図１】本液晶表示装置での信号電位の設定例（１０２３階調＝白階調表示時）を示す模式図である。
【図２】本液晶表示装置の構成を示すブロック図である。
【図３】本液晶表示装置の液晶パネルの断面（マルチギャップ構造）を示す断面図である。
【図４】本液晶表示装置での信号電位の設定例（５１２階調表示時）を示す模式図である。
【図５】本液晶表示装置での信号電位の設定例（０階調＝黒階調表示時）を示す模式図である。
【図６】本液晶表示装置の信号電位中間値の階調依存性（一例）を示す模式図である。
【図７】本液晶表示装置での信号電位の他の設定例（１０２３階調＝白階調表示時）を示す模式図である。
【図８】本液晶表示装置の表示制御回路に格納されるＬＵＴの内容を示す表である。
【図９】本液晶表示装置に設けられるソースドライバの構成（一部）を示す模式図である。
【図１０】本液晶表示装置に設けられるＤＡＣ回路の入出力を示す表である。
【図１１】本液晶表示装置に設けられるソースドライバの他の構成（一部）を示す模式図である。
【図１２】本液晶表示装置に設けられるソースドライバの入出力を示す表である。
【図１３】本テレビジョン受像機の構成を示すブロック図である。
【図１４】本液晶表示装置の信号電位中間値の階調依存性（他の例）を示す模式図である。
【図１５】マルチギャップ構造の液晶表示装置でＲ・Ｇ・Ｂ画素の信号電位中間値を揃えたときの不具合（対向電位ずれ）を説明する模式図である。
【図１６】液晶表示装置の液晶容量、保持容量、および寄生容量を説明する回路図である。
【図１７】本実施の形態にかかる他の液晶パネルの断面図である。
【図１８】図１７の液晶パネルを用いた場合の信号電位の設定例（Ｔ階調表示時）を示す模式図である。
【図１９】本実施の形態にかかるさらに他の液晶パネルの断面図である。
【図２０】図１９の液晶パネルを用いた場合の信号電位の設定例（Ｔ階調表示時）を示す模式図である。
【図２１】ノンマルチギャップ構造でのＲ・Ｇ・Ｂ画素の信号電位中間値の設定方法を示す模式図である。
【発明を実施するための形態】
【００１５】
本実施の形態を、図１〜２０を用いて説明すれば、以下のとおりである。図２は、本液晶表示装置の構成を示すブロック図である。同図に示されるように、本液晶表示装置は、表示部（ネガ型の液晶層を有するＶＡモードの液晶パネル）６０と、表示制御回路７０と、ゲートドライバ８０と、ソースドライバ９０とを備えている。表示部（液晶パネル）６０には、データ信号線（１５Ｒ・１５Ｇ・１５Ｂ）、走査信号線１６、赤の画素（以下Ｒ画素）ＰＲ、緑の画素（以下Ｇ画素）ＰＲ、青の画素（以下Ｂ画素）ＰＢ、および保持容量配線（Ｃｓ配線  図示せず）が設けられる。なお、データ信号線１５ＲはＲ画素に接続され、データ信号線１５ＧはＧ画素に接続され、データ信号線１５ＢはＢ画素に接続されている。
【００１６】
表示制御回路７０は、外部の信号源（例えばチューナ）から、デジタルビデオ信号Ｄｖ、水平同期信号ＨＳＹ、垂直同期信号ＶＳＹ、および表示動作を制御するための制御信号Ｄｃとを受け取る。表示制御回路７０は、受け取った各信号（Ｄｖ・ＨＳＹ・ＶＳＹ・Ｄｃ）に基づき、ソーススタートパルス信号ＳＳＰ、ソースクロック信号ＳＣＫ、ソース極性信号ＰＯＬ、画像データ信号ＤＡＴ（デジタル信号）、ゲートスタートパルス信号ＧＳＰ、ゲートクロック信号ＧＣＫ、およびゲートドライバ出力制御信号ＧＯＥを生成し、ソーススタートパルス信号ＳＳＰ、ソースクロック信号ＳＣＫ、ソース極性信号ＰＯＬ、および画像データ信号ＤＡＴをソースドライバ９０に出力し、ゲートスタートパルス信号ＧＳＰ、ゲートクロック信号ＧＣＫ、およびゲートドライバ出力制御信号ＧＯＥをゲートドライバ８０に出力する。
【００１７】
また、ゲートドライバ８０は、ゲートスタートパルス信号ＧＳＰ、ゲートクロック信号ＧＣＫ、およびゲートドライバ出力制御信号ＧＯＥに基づいて走査信号線１６を駆動し、ソースドライバ９０は、ソーススタートパルス信号ＳＳＰ、ソースクロック信号ＳＣＫ、および画像データ信号ＤＡＴに基づいてデータ信号線（１５Ｒ・１５Ｇ・１５Ｂ）を駆動する。具体的には、ソーススタートパルス信号ＳＳＰ、ソースクロック信号ＳＣＫおよびソース極性信号ＰＯＬにより規定されるタイミングで、画像データ信号ＤＡＴに対応するアナログの信号電位をデータ信号線（１５Ｒ・１５Ｇ・１５Ｂ）に供給する。
【００１８】
図３に、図２の液晶パネル６０の一部断面を示す。同図に示すように、液晶パネル６０は、アクティブマトリクス基板３と、カラーフィルタ基板３０と、これら基板間に充填された液晶層４０とを備える。アクティブマトリクス基板３には、データ信号線、走査信号線、各種絶縁膜、トランジスタ、および保持容量配線（これらは図示せず）と、画素電極１７Ｒ・１７Ｇ・１７Ｂと、これら画素電極を覆う配向膜９とが形成されている。また、カラーフィルタ基板には、画素電極１７Ｒ・１７Ｇ・１７Ｂに対応するカラーフィルタ１３Ｒ・１３Ｇ・１３Ｂと、これらカラーフィルタを覆う対向電極２８と、対向電極２８を覆う配向膜１９とが形成されている。そして、画素電極１７Ｒと対向電極２８とこれらに挟まれた液晶層ＬＲとを含むようにＲ画素ＰＲが構成され、画素電極１７Ｇと対向電極２８とこれらに挟まれた液晶層ＬＧとを含むようにＧ画素ＰＧが構成され、画素電極１７Ｂと対向電極２８とこれらに挟まれた液晶層ＬＢとを含むようにＢ画素ＰＢが構成される。
【００１９】
ここで、本液晶パネルは、液晶層ＬＲの厚み＞液晶層ＬＧの厚み＞液晶層ＬＢの厚みとなるマルチギャップ構造を有する。
【００２０】
マルチギャップ構造の利点は、Ｒ・Ｇ・Ｂ画素ごとに液晶層の厚みを変えることでリタデーションの波長依存性を概ね補償することができる点である。すなわち、Ｒ画素のＶＴ曲線（実効電圧−透過率曲線）、Ｇ画素のＶＴ曲線、およびＢ画素のＶＴ曲線間のずれを、モノギャップ構造（Ｒ・Ｇ・Ｂ画素の液晶層の厚みが均一）の液晶表示装置よりも小さくすることができる。一般的にモノギャップ構造のＶＡモードの液晶表示装置では中間調表示では透過率がＢ画素＞Ｇ画素＞Ｒ画素となるため、青の色付きが生じるが、マルチギャップ構造ではこのような色付きが抑えられ、表示品位を向上させることができる。
【００２１】
マルチギャップの液晶表示装置にはこのようなメリットがあるが、Ｒ画素の液晶層の厚み＞Ｇ画素の液晶層の厚み＞Ｂ画素の液晶層の厚み、すなわち、Ｂ画素の液晶容量（Ｃｌｃ）＞Ｇ画素の液晶容量（Ｃｌｃ）＞Ｒ画素の液晶容量（Ｃｌｃ）となることから、Ｒ画素・Ｇ画素・Ｂ画素それぞれに同一階調を表示する場合でも、Ｒ画素の引き込み込み電圧＞Ｇ画素の引き込み込み電圧＞Ｂ画素の引き込み込み電圧となる。これは、引き込み電圧ΔＱ＝Ｃｇｄ×（ＶＨ−ＶＬ）／（Ｃｃｓ＋Ｃｓｄ＋Ｃｇｄ＋Ｃｌｃ）で表されるからである。このため、Ｒ画素・Ｇ画素・Ｂ画素それぞれに同一階調Ｘを表示するときに、従来のようにＲ画素に供給する信号電位の中間値ＳＭＲＸ、Ｇ画素に供給する信号電位の中間値ＳＭＧＸ、およびＢ画素に供給する信号電位の中間値ＳＭＢＸを揃えると、図１５に示すようにＲ画素とＢ画素とで対向電位ずれが発生し、画素の焼き付き等が発生する。
【００２２】
そこで、本実施の形態では、マルチギャップの液晶表示装置でＲ画素・Ｇ画素・Ｂ画素それぞれに同一階調Ｘを表示するときに、Ｒ画素に供給する信号電位の中間値ＳＭＲＸ＞Ｇ画素に供給する信号電位の中間値ＳＭＧＸ＞Ｂ画素に供給する信号電位の中間値ＳＭＢＸと設定することで、上記のＲ画素・Ｇ画素・Ｂ画素での引き込み電圧の相異を補償している。
【００２３】
例えば、最高階調（白階調）である１０２３階調を表示させるときには、Ｒ画素の引き込み電圧ΔＱＲ１０２３＞Ｇ画素の引き込み電圧ΔＱＧ１０２３＞Ｂ画素の引き込み電圧ΔＱＢ１０２３となることを考慮して、図１のように、Ｒ画素に供給する正極性信号電位ＳＨＲ１０２３、Ｒ画素に供給する負極性信号電位ＳＬＲ１０２３、ＳＨＲ１０２３とＳＬＲ１０２３の中間値ＳＭＲ１０２３、Ｇ画素に供給する正極性信号電位ＳＨＧ１０２３、Ｇ画素に供給する負極性信号電位ＳＬＧ１０２３、ＳＨＧ１０２３とＳＬＧ１０２３の中間値ＳＭＧ１０２３、Ｂ画素に供給する正極性信号電位ＳＨＢ１０２３、Ｂ画素に供給する負極性信号電位ＳＬＢ１０２３、およびＳＨＢ１０２３とＳＬＢ１０２３の中間値ＳＭＢ１０２３を設定している（なお、図１のマルチギャップ構造を前提にしたＲ画素１０２３階調表示に最適な実効電位をＥＨＲ１０２３およびＥＬＲ１０２３、上記マルチギャップ構造を前提にしたＧ画素１０２３階調表示に最適な実効電位をＥＨＧ１０２３およびＥＬＧ１０２３、上記マルチギャップ構造を前提にしたＢ画素１０２３階調表示に最適な実効電位をＥＨＢ１０２３およびＥＬＢ１０２３とする）。
【００２４】
具体的には、Ｒ画素について、正極性信号電位ＳＨＲ１０２３＝正極性実効電位ＥＨＲ１０２３＋引き込み電圧ΔＱＲ１０２３、負極性信号電位ＳＬＲ１０２３＝負極性実効電位ＥＬＲ１０２３＋引き込み電圧ΔＱＲ１０２３、対向電極（共通電極）電位Ｖｃｏｍ＝正・負極性実効電位の中間値＝（ＥＨＲ１０２３＋ＥＬＲ１０２３）／２、正・負極性信号電位の中間値ＳＭＲ１０２３＝（ＳＨＲ１０２３＋ＳＬＲ１０２３）／２＝Ｖｃｏｍ＋ΔＱＲ１０２３としている。また、Ｇ画素について、正極性信号電位ＳＨＧ１０２３＝正極性実効電位ＥＨＧ１０２３＋引き込み電圧ΔＱＧ１０２３、負極性信号電位ＳＬＧ１０２３＝負極性実効電位ＥＬＧ１０２３＋引き込み電圧ΔＱＧ１０２３、対向電極（共通電極）電位Ｖｃｏｍ＝正・負極性実効電位の中間値＝（ＥＨＧ１０２３＋ＥＬＧ１０２３）／２、正・負極性信号電位の中間値ＳＭＧ１０２３＝（ＳＨＧ１０２３＋ＳＬＧ１０２３）／２＝Ｖｃｏｍ＋ΔＱＧ１０２３としている。また、Ｂ画素について、正極性信号電位ＳＨＢ１０２３＝正極性実効電位ＥＨＢ１０２３＋引き込み電圧ΔＱＢ１０２３、負極性信号電位ＳＬＢ１０２３＝負極性実効電位ＥＬＢ１０２３＋引き込み電圧ΔＱＢ１０２３、対向電極（共通電極）電位Ｖｃｏｍ＝正・負極性実効電位の中間値＝（ＥＨＢ１０２３＋ＥＬＢ１０２３）／２、正・負極性信号電位の中間値ＳＭＢ１０２３＝（ＳＨＢ１０２３＋ＳＬＢ１０２３）／２＝Ｖｃｏｍ＋ΔＱＢ１０２３としている。
【００２５】
したがって、図１に示すように、ＳＭＲ１０２３＝Ｖｃｏｍ＋ΔＱＲ１０２３＞ＳＭＧ１０２３＝Ｖｃｏｍ＋ΔＱＧ１０２３＞ＳＭＢ１０２３＝Ｖｃｏｍ＋ΔＱＢ１０２３となる。
【００２６】
また、中間階調の１つである５１２階調を表示させるときには、Ｒ画素の引き込み電圧ΔＱＲ５１２＞Ｇ画素の引き込み電圧ΔＱＧ５１２＞Ｂ画素の引き込み電圧ΔＱＢ５１２となることを考慮して、図４のように、Ｒ画素に供給する正極性信号電位ＳＨＲ５１２、Ｒ画素に供給する負極性信号電位ＳＬＲ５１２、ＳＨＲ５１２とＳＬＲ５１２の中間値ＳＭＲ５１２、Ｇ画素に供給する正極性信号電位ＳＨＧ５１２、Ｇ画素に供給する負極性信号電位ＳＬＧ５１２、ＳＨＧ５１２とＳＬＧ５１２の中間値ＳＭＧ５１２、Ｂ画素に供給する正極性信号電位ＳＨＢ５１２、Ｂ画素に供給する負極性信号電位ＳＬＢ５１２、およびＳＨＢ５１２とＳＬＢ５１２の中間値ＳＭＢ５１２を設定している（なお、図４のマルチギャップ構造を前提にしたＲ画素５１２階調表示に最適な実効電位をＥＨＲ５１２およびＥＬＲ５１２、上記マルチギャップ構造を前提にしたＧ画素５１２階調表示に最適な実効電位をＥＨＧ５１２およびＥＬＧ５１２、上記マルチギャップ構造を前提にしたＢ画素５１２階調表示に最適な実効電位をＥＨＢ５１２およびＥＬＢ５１２とする）。
【００２７】
具体的には、Ｒ画素について、正極性信号電位ＳＨＲ５１２＝正極性実効電位ＥＨＲ５１２＋引き込み電圧ΔＱＲ５１２、負極性信号電位ＳＬＲ５１２＝負極性実効電位ＥＬＲ５１２＋引き込み電圧ΔＱＲ５１２、対向電極（共通電極）電位Ｖｃｏｍ＝正・負極性実効電位の中間値＝（ＥＨＲ５１２＋ＥＬＲ５１２）／２、正・負極性信号電位の中間値ＳＭＲ５１２＝（ＳＨＲ５１２＋ＳＬＲ５１２）／２＝Ｖｃｏｍ＋ΔＱＲ５１２としている。また、Ｇ画素について、正極性信号電位ＳＨＧ５１２＝正極性実効電位ＥＨＧ５１２＋引き込み電圧ΔＱＧ５１２、負極性信号電位ＳＬＧ５１２＝負極性実効電位ＥＬＧ５１２＋引き込み電圧ΔＱＧ５１２、対向電極（共通電極）電位Ｖｃｏｍ＝正・負極性実効電位の中間値＝（ＥＨＧ５１２＋ＥＬＧ５１２）／２、正・負極性信号電位の中間値ＳＭＧ５１２＝（ＳＨＧ５１２＋ＳＬＧ５１２）／２＝Ｖｃｏｍ＋ΔＱＧ５１２としている。また、Ｂ画素について、正極性信号電位ＳＨＢ５１２＝正極性実効電位ＥＨＢ５１２＋引き込み電圧ΔＱＢ５１２、負極性信号電位ＳＬＢ５１２＝負極性実効電位ＥＬＢ５１２＋引き込み電圧ΔＱＢ５１２、対向電極（共通電極）電位Ｖｃｏｍ＝正・負極性実効電位の中間値＝（ＥＨＢ５１２＋ＥＬＢ５１２）／２、正・負極性信号電位の中間値ＳＭＢ５１２＝（ＳＨＢ５１２＋ＳＬＢ５１２）／２＝Ｖｃｏｍ＋ΔＱＢ５１２としている。
【００２８】
したがって、図４に示すように、ＳＭＲ５１２＝Ｖｃｏｍ＋ΔＱＲ５１２＞ＳＭＧ５１２＝Ｖｃｏｍ＋ΔＱＧ５１２＞ＳＭＢ５１２＝Ｖｃｏｍ＋ΔＱＢ５１２となる。なお、ΔＱＲ１０２３＜ΔＱＲ５１２、ΔＱＧ１０２３＜ΔＱＧ５１２、ΔＱＢ１０２３＜ΔＱＢ５１２となっている（すなわち、１０２３階調表示時よりも５１２階調表示時の方が引き込み電圧が大きくなっている）のは、ネガ型の液晶層を有するＶＡモード（ノーマリブラック）の液晶パネルでは、表示階調が下がる（液晶層にかかる実効電圧が小さくなる）にしたがって液晶容量Ｃｌｃが小さくなるためである。
【００２９】
最低階調（黒階調）である０階調を表示させるときには、Ｒ画素の引き込み電圧ΔＱＲ０＞Ｇ画素の引き込み電圧ΔＱＧ０＞Ｂ画素の引き込み電圧ΔＱＢ０となることを考慮して、図５のように、Ｒ画素に供給する正極性信号電位ＳＨＲ０、Ｒ画素に供給する負極性信号電位ＳＬＲ０、ＳＨＲ０とＳＬＲ０の中間値ＳＭＲ０、Ｇ画素に供給する正極性信号電位ＳＨＧ０、Ｇ画素に供給する負極性信号電位ＳＬＧ０、ＳＨＧ０とＳＬＧ０の中間値ＳＭＧ０、Ｂ画素に供給する正極性信号電位ＳＨＢ０、Ｂ画素に供給する負極性信号電位ＳＬＢ０、およびＳＨＢ０とＳＬＢ０の中間値ＳＭＢ０を設定している（なお、図５のマルチギャップ構造を前提にしたＲ画素０階調表示に最適な実効電位をＥＨＲ０およびＥＬＲ０、上記マルチギャップ構造を前提にしたＧ画素０階調表示に最適な実効電位をＥＨＧ０およびＥＬＧ０、上記マルチギャップ構造を前提にしたＢ画素０階調表示に最適な実効電位をＥＨＢ０およびＥＬＢ０とする）。
【００３０】
具体的には、Ｒ画素について、正極性信号電位ＳＨＲ０＝正極性実効電位ＥＨＲ０＋引き込み電圧ΔＱＲ０、負極性信号電位ＳＬＲ０＝負極性実効電位ＥＬＲ０＋引き込み電圧ΔＱＲ０、対向電極（共通電極）電位Ｖｃｏｍ＝正・負極性実効電位の中間値＝（ＥＨＲ０＋ＥＬＲ０）／２、正・負極性信号電位の中間値ＳＭＲ０＝（ＳＨＲ０＋ＳＬＲ０）／２＝Ｖｃｏｍ＋ΔＱＲ０としている。また、Ｇ画素について、正極性信号電位ＳＨＧ０＝正極性実効電位ＥＨＧ０＋引き込み電圧ΔＱＧ０、負極性信号電位ＳＬＧ０＝負極性実効電位ＥＬＧ０＋引き込み電圧ΔＱＧ０、対向電極（共通電極）電位Ｖｃｏｍ＝正・負極性実効電位の中間値＝（ＥＨＧ０＋ＥＬＧ０）／２、正・負極性信号電位の中間値ＳＭＧ０＝（ＳＨＧ０＋ＳＬＧ０）／２＝Ｖｃｏｍ＋ΔＱＧ０としている。また、Ｂ画素について、正極性信号電位ＳＨＢ０＝正極性実効電位ＥＨＢ０＋引き込み電圧ΔＱＢ０、負極性信号電位ＳＬＢ０＝負極性実効電位ＥＬＢ０＋引き込み電圧ΔＱＢ０、対向電極（共通電極）電位Ｖｃｏｍ＝正・負極性実効電位の中間値＝（ＥＨＢ０＋ＥＬＢ０）／２、正・負極性信号電位の中間値ＳＭＢ０＝（ＳＨＢ０＋ＳＬＢ０）／２＝Ｖｃｏｍ＋ΔＱＢ０としている。
【００３１】
したがって、図５に示すように、ＳＭＲ０＝Ｖｃｏｍ＋ΔＱＲ０＞ＳＭＧ０＝Ｖｃｏｍ＋ΔＱＧ０＞ＳＭＢ０＝Ｖｃｏｍ＋ΔＱＢ０となる。なお、ΔＱＲ５１２＜ΔＱＲ０、ΔＱＧ５１２＜ΔＱＧ０、ΔＱＢ５１２＜ΔＱＢ０となっているのは、上記のとおりネガ型の液晶層を有するＶＡモード（ノーマリブラック）の液晶パネルでは、表示階調が下がる（液晶層にかかる実効電圧が小さくなる）にしたがって液晶容量Ｃｌｃが小さくなるためである。
【００３２】
図６は、Ｒ画素に、０、５１２、および１０２３階調表示させるときの、引き込み電圧ΔＱＧ０、正極性信号電位ＳＨＧ０、Ｇ画素に供給する負極性信号電位ＳＬＧ０、ＳＨＧ０とＳＬＧ０の中間値ＳＭＧ０、引き込み電圧ΔＱＧ５１２、正極性信号電位ＳＨＧ５１２、Ｇ画素に供給する負極性信号電位ＳＬＧ５１２、ＳＨＧ５１２とＳＬＧ５１２の中間値ＳＭＧ５１２、引き込み電圧ΔＱＧ１０２３、正極性信号電位ＳＨＧ１０２３、Ｇ画素に供給する負極性信号電位ＳＬＧ１０２３、ＳＨＧ１０２３とＳＬＧ１０２３の中間値ＳＭＧ１０２３の設定例である。同図に示されるように、表示階調が上がる（液晶層にかかる実効電圧が大きくなる）にしたがって、引き込み電圧は小さくなり、また、正・負極性信号電位の中間値が低くなる。これは、ネガ型の液晶層を有するＶＡモード（ノーマリブラック）の液晶パネルでは、表示階調が上がる（液晶層にかかる実効電圧が大きくなる）にしたがって液晶容量Ｃｌｃが大きくなるからである。
【００３３】
図１では、Ｒ・Ｇ・Ｂ画素にかける正極性実効電位（ＥＨＲ１０２３・ＥＨＧ１０２３・ＥＨＢ１０２３）を、ＥＨＲ１０２３＞ＥＨＧ１０２３＞ＥＨＢ１０２３とし、Ｒ・Ｇ・Ｂ画素にかける負極性実効電位（ＥＬＲ１０２３・ＥＬＧ１０２３・ＥＬＢ１０２３）も、ＥＨＢ１０２３＞ＥＨＧ１０２３＞ＥＨＲ１０２３としている。これは、Ｒ・Ｇ・Ｂ画素のリタデーションの差異を液晶層の厚みの設定だけで補償する（Ｒ・Ｇ・Ｂ画素に対応する３つのＶＴ曲線を一致させる）ことが実際のプロセス上容易でないため、マルチギャップ構造によってＲ・Ｇ・Ｂ画素に対応する３つのＶＴ（実効電圧−透過率）曲線を概ね一致させながら、詰めの調整として、Ｒ・Ｇ・Ｂ画素ごとにガンマ曲線（階調−輝度特性）の設定（いわゆるＲＧＢ独立ガンマ設定）を行っているからである。
【００３４】
もっとも、ＲＧＢ独立ガンマ設定は必須ではなく、実際のプロセスに応じて適宜行えばよい。すなわち、Ｒ・Ｇ・Ｂ画素のリタデーションの差異を液晶層の厚みの設定だけで補償する（Ｒ・Ｇ・Ｂ画素に対応する３つのＶＴ曲線を一致させる）ことがプロセス上可能であれば（コスト面も含めて）、ＲＧＢ独立ガンマ設定を行わなくてよい。この場合には、例えば黒階調である０階調を表示させるときには、図７に示すように、Ｒにかける実効電位（ＥＨＲ０・ＥＬＲ０）と、Ｇにかける実効電位（ＥＨＧ０・ＥＬＧ０）と、Ｂにかける実効電位（ＥＨＢ０・ＥＬＢ０）とが揃うことになる。
【００３５】
図８は、表示制御回路７０に含まれるＬＵＴ（ルックアップテーブル）の設定例を示す表である。表示制御回路７０は、デジタルビデオ信号Ｄｖと上記ＬＵＴとを用いて、ソース極性信号ＰＯＬ（「Ｈ」または「Ｌ」）および画像データ信号ＤＡＴ（１０ビット）の組み合わせを生成する。以下ではＬＵＴの入力がデジタルビデオ信号Ｄｖの示す階調である場合を説明するが、ＬＵＴの入力は、デジタルビデオ信号Ｄｖに所定の処理を行って得られるデジタル信号が示す階調であってもよい。
【００３６】
例えば、Ｒ（赤）の０階調を示すＤｖに基づいて、ＰＯＬ＝「Ｈ」および１５階調を示すＲのＤＡＴの組み合わせと、ＰＯＬ＝「Ｌ」および０階調を示すＲのＤＡＴの組み合わせとを生成する。また、Ｇ（緑）の０階調を示すＤｖに基づいて、ＰＯＬ＝「Ｈ」および１３階調を示すＧのＤＡＴの組み合わせと、ＰＯＬ＝「Ｌ」および６階調を示すＧのＤＡＴの組み合わせとを生成する。また、Ｂ（青）の０階調を示すＤｖに基づいて、ＰＯＬ＝「Ｈ」および０階調を示すＢのＤＡＴの組み合わせと、ＰＯＬ＝「Ｌ」および９階調を示すＢのＤＡＴの組み合わせとを生成する。また、Ｒ（赤）の５１２階調を示すＤｖに基づいて、ＰＯＬ＝「Ｈ」および６１２階調を示すＲのＤＡＴの組み合わせと、ＰＯＬ＝「Ｌ」および４０２階調を示すＲのＤＡＴの組み合わせとを生成する。また、Ｇ（緑）の５１２階調を示すＤｖに基づいて、ＰＯＬ＝「Ｈ」および５１２階調を示すＧのＤＡＴの組み合わせと、ＰＯＬ＝「Ｌ」および５１２階調を示すＧのＤＡＴの組み合わせとを生成する。また、Ｂ（青）の５１２階調を示すＤｖに基づいて、ＰＯＬ＝「Ｈ」および３６４階調を示すＢのＤＡＴの組み合わせと、ＰＯＬ＝「Ｌ」および６２５階調を示すＢのＤＡＴの組み合わせとを生成する。また、Ｒ（赤）の１０２３階調を示すＤｖに基づいて、ＰＯＬ＝「Ｈ」および１０２３階調を示すＲのＤＡＴの組み合わせと、ＰＯＬ＝「Ｌ」および１０１５階調を示すＲのＤＡＴの組み合わせとを生成する。また、Ｇ（緑）の１０２３階調を示すＤｖに基づいて、ＰＯＬ＝「Ｈ」および１０１５階調を示すＧのＤＡＴの組み合わせと、ＰＯＬ＝「Ｌ」および１０１６階調を示すＧのＤＡＴの組み合わせとを生成する。また、Ｂ（青）の１０２３階調を示すＤｖに基づいて、ＰＯＬ＝「Ｈ」および１０１２階調を示すＢのＤＡＴの組み合わせと、ＰＯＬ＝「Ｌ」および１０２３階調を示すＢのＤＡＴの組み合わせとを生成する。
【００３７】
ソースドライバ９０では各階調に該当するアナログ電圧を出力するため、上記ＬＵＴで補正後の階調データからアナログ電圧に変換される。
【００３８】
例えば、ＰＯＬ＝「Ｈ」、１５階調の設定がソースドライバへ入力されると、ソースドライバからアナログの正極性信号電位ＳＨＲ０（図５参照）を出力し、  ＰＯＬ＝「Ｌ」、０階調の設定がソースドライバへ入力されると、ソースドライバからアナログの正極性信号電位ＳＨＬ０（図５参照）を出力する。
図９は、ソースドライバ９０の一部の構成例を示す模式図である。図９に示すように、ソースドライバ９０には、データ信号線１５Ｒ（赤の信号線）に接続するＤＡＣ１００およびＤＡＣ１０１と、データ信号線１５Ｇ（緑の信号線）に接続するＤＡＣ１００およびＤＡＣ１０１と、データ信号線１５Ｂ（青の信号線）に接続するＤＡＣ１００およびＤＡＣ１０１とが設けられる。
【００３９】
そして、データ信号線１５Ｒに接続されるＤＡＣ１００には、ＰＯＬ＝「Ｈ」のＲのＤＡＴが入力され、データ信号線１５Ｒに接続されるＤＡＣ１０１には、ＰＯＬ＝「Ｌ」のＲのＤＡＴが入力され、データ信号線１５Ｇに接続されるＤＡＣ１００には、ＰＯＬ＝「Ｈ」のＧのＤＡＴが入力され、データ信号線１５Ｇに接続されるＤＡＣ１０１には、ＰＯＬ＝「Ｌ」のＧのＤＡＴが入力され、データ信号線１５Ｂに接続されるＤＡＣ１００には、ＰＯＬ＝「Ｈ」のＢのＤＡＴが入力され、データ信号線１５Ｂに接続されるＤＡＣ１０１には、ＰＯＬ＝「Ｌ」のＢのＤＡＴが入力される。
【００４０】
図１０は図９のＤＡＣ１００およびＤＡＣ１０１の入出力（一部）を示す表である。同図に示すように、ＤＡＣ１００は、デジタルの画像データ信号ＤＡＴ１５が入力されると、アナログの正極性信号電位ＳＨＲ０（図５参照）を出力し、画像データ信号ＤＡＴ６１２が入力されると、正極性信号電位ＳＨＲ５１２（図４参照）を出力し、画像データ信号ＤＡＴ１０２３が入力されると、正極性信号電位ＳＨＲ１０２３（図１参照）を出力し、画像データ信号ＤＡＴ１３が入力されると、正極性信号電位ＳＨＧ０（図５参照）を出力し、画像データ信号ＤＡＴ５１２が入力されると、正極性信号電位ＳＨＧ５１２（図４参照）を出力し、画像データ信号ＤＡＴ１０１５が入力されると、正極性信号電位ＳＨＧ１０２３（図１参照）を出力し、画像データ信号ＤＡＴ０が入力されると、正極性信号電位ＳＨＢ０（図５参照）を出力し、画像データ信号ＤＡＴ３６４が入力されると、正極性信号電位ＳＨＢ５１２（図４参照）を出力し、画像データ信号ＤＡＴ１０１２が入力されると、正極性信号電位ＳＨＢ１０２３（図１参照）を出力する。
【００４１】
一方、ＤＡＣ１０１は、デジタルの画像データ信号ＤＡＴ０が入力されると、アナログの負極性信号電位ＳＬＲ０（図５参照）を出力し、画像データ信号ＤＡＴ４０２が入力されると、負極性信号電位ＳＬＲ５１２（図４参照）を出力し、画像データ信号ＤＡＴ１０１５が入力されると、負極性信号電位ＳＬＲ１０２３（図１参照）を出力し、画像データ信号ＤＡＴ６が入力されると、負極性信号電位ＳＬＧ０（図５参照）を出力し、画像データ信号ＤＡＴ５１２が入力されると、負極性信号電位ＳＬＧ５１２（図４参照）を出力し、画像データ信号ＤＡＴ１０１６が入力されると、負極性信号電位ＳＬＧ１０２３（図１参照）を出力し、画像データ信号ＤＡＴ９が入力されると、負極性信号電位ＳＬＢ０（図５参照）を出力し、画像データ信号ＤＡＴ６２５が入力されると、負極性信号電位ＳＬＢ５１２（図４参照）を出力し、画像データ信号ＤＡＴ１０２３が入力されると、負極性信号電位ＳＬＢ１０２３（図１参照）を出力する。
【００４２】
以上から、例えばＲ画素に白階調（１０２３階調）を２フレーム連続して表示するときには以下のようになる。まず、表示制御回路７０が、Ｒ（赤）の１０２３階調を示すＤｖに基づいて、ＰＯＬ＝「Ｈ」および１０２３階調を示すＲのＤＡＴの組み合わせを生成し（図８参照）、この１０２３階調を示すＲのＤＡＴが、データ信号線１５Ｒに接続するＤＡＣ１００に入力され（図９参照）、該データ信号線１５Ｒに正極性信号電位ＳＨＲ１０２３が出力される（図１・１０参照）。ついで、表示制御回路７０が、Ｒ（赤）の１０２３階調を示すＤｖに基づいて、ＰＯＬ＝「Ｌ」および１０１５階調を示すＲのＤＡＴの組み合わせを生成し（図８参照）、この１０１５階調を示すＲのＤＡＴが、データ信号線１５Ｒに接続するＤＡＣ１０１に入力され（図９参照）、該データ信号線１５Ｒに負極性信号電位ＳＬＲ１０２３（図１・１０参照）が出力される。
【００４３】
また、Ｇ画素に白階調（１０２３階調）を２フレーム連続して表示するときには以下のようになる。まず、表示制御回路７０が、Ｇ（緑）の１０２３階調を示すＤｖに基づいて、ＰＯＬ＝「Ｈ」および１０１５階調を示すＧのＤＡＴの組み合わせを生成し（図８参照）、この１０１５階調を示すＧのＤＡＴが、データ信号線１５Ｇに接続するＤＡＣ１００に入力され（図９参照）、該データ信号線１５Ｇに正極性信号電位ＳＨＧ１０２３が出力される（図１・１０参照）。ついで、表示制御回路７０が、Ｇ（緑）の１０２３階調を示すＤｖに基づいて、ＰＯＬ＝「Ｌ」および１０１６階調を示すＧのＤＡＴの組み合わせを生成し（図８参照）、この１０１６階調を示すＧのＤＡＴが、データ信号線１５Ｇに接続するＤＡＣ１０１に入力され（図９参照）、該データ信号線１５Ｇに負極性信号電位ＳＬＧ１０２３（図１・１０参照）が出力される。
【００４４】
また、Ｂ画素に白階調（１０２３階調）を２フレーム連続して表示するときには以下のようになる。まず、表示制御回路７０が、Ｂ（青）の１０２３階調を示すＤｖに基づいて、ＰＯＬ＝「Ｈ」および１０１２階調を示すＢのＤＡＴの組み合わせを生成し（図８参照）、この１０１２階調を示すＢのＤＡＴが、データ信号線１５Ｂに接続するＤＡＣ１００に入力され（図９参照）、該データ信号線１５Ｂに正極性信号電位ＳＨＢ１０２３が出力される（図１・１０参照）。ついで、表示制御回路７０が、Ｂ（青）の１０２３階調を示すＤｖに基づいて、ＰＯＬ＝「Ｌ」および１０２３階調を示すＢのＤＡＴの組み合わせを生成し（図８参照）、この１０２３階調を示すＢのＤＡＴが、データ信号線１５Ｂに接続するＤＡＣ１０１に入力され（図９参照）、該データ信号線１５Ｂに負極性信号電位ＳＬＢ１０２３（図１・１０参照）が出力される。
【００４５】
このように、表示制御回路７０に図８のようなＬＵＴを持たせて階調変換させることで、図９のようにソースドライバ９０に設けるＤＡＣを２種類（１０１・１０１）とすることができる。一般的なソースドライバは図９のような構成であることから、表示制御回路７０に図８のようなＬＵＴを新たに持たせたり、ＬＵＴをもつ表示制御回路であれば該ＬＵＴの内容を図８のように変更したり、ＬＵＴをもつ表示制御回路であればさらに補正用ＬＵＴ（該補正用ＬＵＴの出力が図８のようになるもの）を追加したりするだけで、図１・図４〜７に示すようなマルチギャップ構造の引き込み電圧を考慮した信号電位設定を行うことができる。
【００４６】
なお、本実施の形態は、上記のように表示制御回路７０で階調変換を行うものに限定されない。ソースドライバ９０のＤＡＣ構成を変更してもよい。例えば図１１に示すように、ソースドライバ９０に設けるＤＡＣを６種類（Ｒ・Ｇ・Ｂ画素それぞれに２種類ずつ）とする。すなわち、データ信号線１５Ｒに対応してＤＡＣ１０Ｒ・１１Ｒを設け、データ信号線１５Ｇに対応してＤＡＣ１２Ｇ・１３Ｇを設け、データ信号線１５Ｂに対応してＤＡＣ１４Ｂ・１６Ｂを設ける。
【００４７】
表示制御回路７０は、入力されるデジタルビデオ信号Ｄｖに基づいてソース極性信号ＰＯＬ（「Ｈ」または「Ｌ」）および画像データ信号ＤＡＴ（１０ビット）の組み合わせを生成する。
【００４８】
例えば、Ｒ（赤）の０階調を示すＤｖに基づいて、ＰＯＬ＝「Ｈ」および０階調を示すＲのＤＡＴの組み合わせと、ＰＯＬ＝「Ｌ」および０階調を示すＲのＤＡＴの組み合わせとを生成する。また、Ｇ（緑）の０階調を示すＤｖに基づいて、ＰＯＬ＝「Ｈ」および１０階調を示すＧのＤＡＴの組み合わせと、ＰＯＬ＝「Ｌ」および０階調を示すＧのＤＡＴの組み合わせとを生成する。また、Ｂ（青）の０階調を示すＤｖに基づいて、ＰＯＬ＝「Ｈ」および０階調を示すＢのＤＡＴの組み合わせと、ＰＯＬ＝「Ｌ」および０階調を示すＢのＤＡＴの組み合わせとを生成する。また、Ｒ（赤）の５１２階調を示すＤｖに基づいて、ＰＯＬ＝「Ｈ」および５１２階調を示すＲのＤＡＴの組み合わせと、ＰＯＬ＝「Ｌ」および５１２階調を示すＲのＤＡＴの組み合わせとを生成する。また、Ｇ（緑）の５１２階調を示すＤｖに基づいて、ＰＯＬ＝「Ｈ」および５１２階調を示すＧのＤＡＴの組み合わせと、ＰＯＬ＝「Ｌ」および５１２階調を示すＧのＤＡＴの組み合わせとを生成する。また、Ｂ（青）の５１２階調を示すＤｖに基づいて、ＰＯＬ＝「Ｈ」および５１２階調を示すＢのＤＡＴの組み合わせと、ＰＯＬ＝「Ｌ」および５１２階調を示すＢのＤＡＴの組み合わせとを生成する。また、Ｒ（赤）の１０２３階調を示すＤｖに基づいて、ＰＯＬ＝「Ｈ」および１０２３階調を示すＲのＤＡＴの組み合わせと、ＰＯＬ＝「Ｌ」および１０２３階調を示すＲのＤＡＴの組み合わせとを生成する。また、Ｇ（緑）の１０２３階調を示すＤｖに基づいて、ＰＯＬ＝「Ｈ」および１０２３階調を示すＧのＤＡＴの組み合わせと、ＰＯＬ＝「Ｌ」および１０２３階調を示すＧのＤＡＴの組み合わせとを生成する。また、Ｂ（青）の１０２３階調を示すＤｖに基づいて、ＰＯＬ＝「Ｈ」および１０２３階調を示すＢのＤＡＴの組み合わせと、ＰＯＬ＝「Ｌ」および１０２３階調を示すＢのＤＡＴの組み合わせとを生成する。
【００４９】
そして、データ信号線１５Ｒに接続されるＤＡＣ１０Ｒには、ＰＯＬ＝「Ｈ」のＲのＤＡＴが入力され、データ信号線１５Ｒに接続されるＤＡＣ１１Ｒには、ＰＯＬ＝「Ｌ」のＲのＤＡＴが入力され、データ信号線１５Ｇに接続されるＤＡＣ１２Ｇには、ＰＯＬ＝「Ｈ」のＧのＤＡＴが入力され、データ信号線１５Ｇに接続されるＤＡＣ１３Ｇには、ＰＯＬ＝「Ｌ」のＧのＤＡＴが入力され、データ信号線１５Ｂに接続されるＤＡＣ１４Ｂには、ＰＯＬ＝「Ｈ」のＢのＤＡＴが入力され、データ信号線１５Ｂに接続されるＤＡＣ１６Ｂには、ＰＯＬ＝「Ｌ」のＢのＤＡＴが入力される。
【００５０】
図１２は図１１のＤＡＣ１０Ｒ・１１Ｒ・１２Ｇ・１３Ｇ・１４Ｂ・１６Ｂの入出力（一部）を示す表である。図１２に示すように、ＤＡＣ１０Ｒは、デジタルの画像データ信号ＤＡＴ０が入力されると、アナログの正極性信号電位ＳＨＲ０（図５参照）を出力し、画像データ信号ＤＡＴ５１２が入力されると、正極性信号電位ＳＨＲ５１２（図４参照）を出力し、画像データ信号ＤＡＴ１０２３が入力されると、正極性信号電位ＳＨＲ１０２３（図１参照）を出力する。また、ＤＡＣ１１Ｒは、デジタルの画像データ信号ＤＡＴ０が入力されると、正極性信号電位ＳＬＲ０（図５参照）を出力し、画像データ信号ＤＡＴ５１２が入力されると、正極性信号電位ＳＬＲ５１２（図４参照）を出力し、画像データ信号ＤＡＴ１０２３が入力されると、正極性信号電位ＳＬＲ１０２３（図１参照）を出力する。
【００５１】
また、ＤＡＣ１２Ｇは、デジタルの画像データ信号ＤＡＴ０が入力されると、正極性信号電位ＳＨＧ０（図５参照）を出力し、画像データ信号ＤＡＴ５１２が入力されると、正極性信号電位ＳＨＧ５１２（図４参照）を出力し、画像データ信号ＤＡＴ１０２３が入力されると、正極性信号電位ＳＨＧ１０２３（図１参照）を出力する。また、ＤＡＣ１３Ｇは、デジタルの画像データ信号ＤＡＴ０が入力されると、正極性信号電位ＳＬＧ０（図５参照）を出力し、画像データ信号ＤＡＴ５１２が入力されると、正極性信号電位ＳＬＧ５１２（図４参照）を出力し、画像データ信号ＤＡＴ１０２３が入力されると、正極性信号電位ＳＬＧ１０２３（図１参照）を出力する。
【００５２】
また、ＤＡＣ１４Ｂは、デジタルの画像データ信号ＤＡＴ０が入力されると、正極性信号電位ＳＨＢ０（図５参照）を出力し、画像データ信号ＤＡＴ５１２が入力されると、正極性信号電位ＳＨＢ５１２（図４参照）を出力し、画像データ信号ＤＡＴ１０２３が入力されると、正極性信号電位ＳＨＢ１０２３（図１参照）を出力する。また、ＤＡＣ１６Ｇは、デジタルの画像データ信号ＤＡＴ０が入力されると、正極性信号電位ＳＬＢ０（図５参照）を出力し、画像データ信号ＤＡＴ５１２が入力されると、正極性信号電位ＳＬＢ５１２（図４参照）を出力し、画像データ信号ＤＡＴ１０２３が入力されると、正極性信号電位ＳＬＢ１０２３（図１参照）を出力する。
【００５３】
以上から、例えばＲ画素に白階調（１０２３階調）を２フレーム連続して表示するときには以下のようになる。まず、表示制御回路７０が、Ｒ（赤）の１０２３階調を示すＤｖに基づいて、ＰＯＬ＝「Ｈ」および１０２３階調を示すＲのＤＡＴの組み合わせを生成し、この１０２３階調を示すＲのＤＡＴが、データ信号線１５Ｒに接続するＤＡＣ１０Ｒに入力され（図１１参照）、該データ信号線１５Ｒに正極性信号電位ＳＨＲ１０２３が出力される（図１・１２参照）。ついで、表示制御回路７０が、Ｒ（赤）の１０２３階調を示すＤｖに基づいて、ＰＯＬ＝「Ｌ」および１０２３階調を示すＲのＤＡＴの組み合わせを生成し（図８参照）、この１０２３階調を示すＲのＤＡＴが、データ信号線１５Ｒに接続するＤＡＣ１１Ｒに入力され（図１１参照）、該データ信号線１５Ｒに負極性信号電位ＳＬＲ１０２３（図１・１２参照）が出力される。
【００５４】
また、Ｇ画素に白階調（１０２３階調）を２フレーム連続して表示するときには以下のようになる。まず、表示制御回路７０が、Ｇ（緑）の１０２３階調を示すＤｖに基づいて、ＰＯＬ＝「Ｈ」および１０２３階調を示すＧのＤＡＴの組み合わせを生成し、この１０２３階調を示すＧのＤＡＴが、データ信号線１５Ｇに接続するＤＡＣ１２Ｇに入力され（図１１参照）、該データ信号線１５Ｇに正極性信号電位ＳＨＧ１０２３が出力される（図１・１２参照）。ついで、表示制御回路７０が、Ｇ（緑）の１０２３階調を示すＤｖに基づいて、ＰＯＬ＝「Ｌ」および１０２３階調を示すＧのＤＡＴの組み合わせを生成し、この１０２３階調を示すＧのＤＡＴが、データ信号線１５Ｇに接続するＤＡＣ１３Ｇに入力され（図１１参照）、該データ信号線１５Ｇに負極性信号電位ＳＬＧ１０２３（図１・１２参照）が出力される。
【００５５】
また、Ｂ画素に白階調（１０２３階調）を２フレーム連続して表示するときには以下のようになる。まず、表示制御回路７０が、Ｂ（青）の１０２３階調を示すＤｖに基づいて、ＰＯＬ＝「Ｈ」および１０２３階調を示すＢのＤＡＴの組み合わせを生成し、この１０２３階調を示すＢのＤＡＴが、データ信号線１５Ｂに接続するＤＡＣ１４Ｂに入力され（図１１参照）、該データ信号線１５Ｂに正極性信号電位ＳＨＢ１０２３が出力される（図１・１２参照）。ついで、表示制御回路７０が、Ｂ（青）の１０２３階調を示すＤｖに基づいて、ＰＯＬ＝「Ｌ」および１０２３階調を示すＢのＤＡＴの組み合わせを生成し、この１０２３階調を示すＢのＤＡＴが、データ信号線１５Ｂに接続するＤＡＣ１６Ｂに入力され（図１１参照）、該データ信号線１５Ｂに負極性信号電位ＳＬＢ１０２３（図１・１２参照）が出力される。
【００５６】
液晶表示装置８００でテレビジョン放送に基づく画像を表示する場合には、図１３に示すように、本液晶表示装置８００にチューナ部６００が接続され、これによって本テレビジョン受像機７０１が構成される。このチューナ部６００は、アンテナ（不図示）で受信した受信波（高周波信号）の中から受信すべきチャンネルの信号を抜き出して中間周波信号に変換し、この中間周波数信号を検波することによってテレビジョン信号としての複合カラー映像信号Ｓｃｖを取り出す。この複合カラー映像信号Ｓｃｖは本液晶表示装置８００に入力され、複合カラー映像信号Ｓｃｖから得られるデジタルビデオ信号Ｄｖが表示制御回路７０（図２参照）に入力される。
【００５７】
なお、図６では同一画素の引き込み電圧に階調依存性がある場合を説明したが、引き込み電圧に階調依存性がない場合や階調依存性を無視できる場合には、表示階調に関わらず、Ｒ画素に供給する正・負極性信号電位の中間値はＶｃｏｍ＋ΔＱＲ、Ｇ画素に供給する正・負極性信号電位の中間値はＶｃｏｍ＋ΔＱＧ、Ｂ画素に供給する正・負極性信号電位の中間値ＳＭＢＸはＶｃｏｍ＋ΔＱＢとする。なお、ΔＱＲ＞ΔＱＧ＞ΔＱＢであるため、Ｒ画素に供給する正・負極性信号電位の中間値＞Ｇ画素に供給する正・負極性信号電位の中間値＞Ｂ画素に供給する正・負極性信号電位の中間値となる。
【００５８】
図１４は、Ｇ画素に、０、５１２、および１０２３階調表示させるときの信号電位の設定例であり、ＳＭＧ０＝ＳＭＧ５１２＝ＳＭＧ１０２３となっている。この場合、例えば、ＳＨＲ０（０階調表示時にＲ画素に供給する正極性信号電位）−ＳＨＧ０=０．１９９〔Ｖ〕、ＳＨＧ０−ＳＨＢ０（０階調表示時にＢ画素に供給する正極性信号電位）=０．２４２〔Ｖ〕となるようにＳＨＲ０およびＳＨＢ０を設定する。同様に、ＳＨＲ５１２（５１２階調表示時にＲ画素に供給する正極性信号電位）−ＳＨＧ５１２=０．１９９〔Ｖ〕、ＳＨＧ−ＳＨＢ５１２（５１２階調表示時にＢ画素に供給する正極性信号電位）=０．２４２〔Ｖ〕となるようにＳＨＲ５１２およびＳＨＢ５１２を設定する。同様に、ＳＨＲ１０２３（１０２３階調表示時にＲ画素に供給する正極性信号電位）−ＳＨＧ１０２３=０．１９９〔Ｖ〕、ＳＨＧ１０２３−ＳＨＢ１０２３（１０２３階調表示時にＢ画素に供給する正極性信号電位）=０．２４２〔Ｖ〕となるようにＳＨＲ１０２３およびＳＨＢ１０２３を設定する。
【００５９】
また、ＳＬＲ０（０階調表示時にＲ画素に供給する負極性信号電位）−ＳＬＧ０=０．１９９〔Ｖ〕、ＳＬＧ０−ＳＬＢ０（０階調表示時にＢ画素に供給する負極性信号電位）=０．２４２〔Ｖ〕となるようにＳＬＲ０およびＳＬＢ０を設定する。同様に、ＳＬＲ５１２（５１２階調表示時にＲ画素に供給する負極性信号電位）−ＳＬＧ５１２=０．１９９〔Ｖ〕、ＳＬＧＳＬＢ５１２（５１２階調表示時にＢ画素に供給する負極性信号電位）=０．２４２〔Ｖ〕となるようにＳＬＲ５１２およびＳＬＢ５１２を設定する。同様に、ＳＬＲ１０２３（１０２３階調表示時にＲ画素に供給する負極性信号電位）−ＳＬＧ１０２３=０．１９９〔Ｖ〕、ＳＬＧ１０２３−ＳＬＢ１０２３（１０２３階調表示時にＢ画素に供給する負極性信号電位）=０．２４２〔Ｖ〕となるようにＳＬＲ１０２３およびＳＬＢ１０２３を設定する。
【００６０】
さらにこの場合、ＳＨＲ０およびＳＬＲ０の中間値ＳＭＲ０とＳＨＧ０およびＳＬＧ０の中間値ＳＭＧ０との差は０．２４２〔Ｖ〕となり、ＳＭＧ０とＳＨＢ０およびＳＬＢ０の中間値ＳＭＢ０との差は０．１９９〔Ｖ〕となる。また、ＳＨＲ５１２およびＳＬＲ５１２の中間値ＳＭＲ５１２とＳＨＧ５１２およびＳＬＧ５１２の中間値ＳＭＧ５１２との差は０．２４２〔Ｖ〕となり、ＳＭＧ５１２とＳＨＢ５１２およびＳＬＢ５１２の中間値ＳＭＢ５１２との差は０．１９９〔Ｖ〕となる。また、ＳＨＲ１０２３およびＳＬＲ１０２３の中間値ＳＭＲ１０２３とＳＨＧ１０２３およびＳＬＧ１０２３の中間値ＳＭＧ１０２３との差は０．２４２〔Ｖ〕となり、ＳＭＧ１０２３とＳＨＢ１０２３およびＳＬＢ１０２３の中間値ＳＭＢ１０２３との差は０．１９９〔Ｖ〕となる。
【００６１】
なお、図１４のように設定する場合においても、表示制御回路７０内で処理（例えば、ＬＵＴを用いて階調変換）してもよいし、ソースドライバ９０のＤＡＣ構成を変更したり、ソースドライバ９０内に電圧補正回路を設けたりしてもよい。
【００６２】
図３のように、Ｇ画素の液晶層の厚みＬＧをＲ画素の液晶層の厚みＬＲよりも小さくするとＧ画素の輝度低下が大きくなるような場合には、図１７に示すように、Ｒ画素ＲＰの液晶層の厚みＬＲ＝Ｇ画素ＧＰの液晶層の厚みＬＧ＞Ｂ画素ＢＰの液晶層の厚みＬＢとし（Ｂ画素の液晶層のみ薄くする）、Ｒ画素、Ｇ画素、およびＢ画素それぞれに同一階調が所定期間連続して表示されるときには、Ｒ画素に供給する正・負極性信号電位の中間値＝Ｇ画素に供給する正・負極性信号電位の中間値＞Ｂ画素に供給する正・負極性信号電位の中間値となるように、各画素に供給する信号電位を設定することもできる。
【００６３】
具体的には図１８に示すように、階調Ｔを表示させるときには、Ｒ画素の引き込み電圧ΔＱＲＴ＝Ｇ画素の引き込み電圧ΔＱＧＴ＞Ｂ画素の引き込み電圧ΔＱＢＴとなることを考慮して、Ｒ画素に供給する正極性信号電位ＳＨＲＴ、Ｒ画素に供給する負極性信号電位ＳＬＲＴ、ＳＨＲＴとＳＬＲＴの中間値ＳＭＲＴ、Ｇ画素に供給する正極性信号電位ＳＨＧＴ、Ｇ画素に供給する負極性信号電位ＳＬＧＴ、ＳＨＧＴとＳＬＧＴの中間値ＳＭＧＴ、Ｂ画素に供給する正極性信号電位ＳＨＢＴ、Ｂ画素に供給する負極性信号電位ＳＬＢＴ、ＳＨＢＴとＳＬＢＴの中間値ＳＭＢＴを設定している。
【００６４】
すなわち、Ｒ画素について、正極性信号電位ＳＨＲＴ＝正極性実効電位ＥＨＲＴ＋引き込み電圧ΔＱＲＴ、負極性信号電位ＳＬＲＴ＝負極性実効電位ＥＬＲＴ＋引き込み電圧ΔＱＲＴ、対向電極（共通電極）電位Ｖｃｏｍ＝正・負極性実効電位の中間値＝（ＥＨＲＴ＋ＥＬＲＴ）／２、正・負極性信号電位の中間値ＳＭＲＴ＝（ＳＨＲＴ＋ＳＬＲＴ）／２＝Ｖｃｏｍ＋ΔＱＲＴとしている。また、Ｇ画素について、正極性信号電位ＳＨＧＴ＝正極性実効電位ＥＨＧＴ＋引き込み電圧ΔＱＧＴ、負極性信号電位ＳＬＧＴ＝負極性実効電位ＥＬＧＴ＋引き込み電圧ΔＱＧＴ、対向電極（共通電極）電位Ｖｃｏｍ＝正・負極性実効電位の中間値＝（ＥＨＧＴ＋ＥＬＧＴ）／２、正・負極性信号電位の中間値ＳＭＧＴ＝（ＳＨＧＴ＋ＳＬＧＴ）／２＝Ｖｃｏｍ＋ΔＱＧＴとしている。また、Ｂ画素について、正極性信号電位ＳＨＢＴ＝正極性実効電位ＥＨＢＴ＋引き込み電圧ΔＱＢＴ、負極性信号電位ＳＬＢＴ＝負極性実効電位ＥＬＢＴ＋引き込み電圧ΔＱＢＴ、対向電極（共通電極）電位Ｖｃｏｍ＝正・負極性実効電位の中間値＝（ＥＨＢＴ＋ＥＬＢＴ）／２、正・負極性信号電位の中間値ＳＭＢＴ＝（ＳＨＢＴ＋ＳＬＢＴ）／２＝Ｖｃｏｍ＋ΔＱＢＴとしている。したがって、図１８に示すように、ＳＭＲＴ＝Ｖｃｏｍ＋ΔＱＲＴ＝ＳＭＧＴ＝Ｖｃｏｍ＋ΔＱＧＴ＞ＳＭＢＴ＝Ｖｃｏｍ＋ΔＱＢＴとなる。
【００６５】
本実施の形態では、画素の色も、Ｒ・Ｇ・Ｂの３種類に限定されない。Ｒ・Ｇ・Ｂ・Ｙ（黄色）の４種類でもよい。
【００６６】
この場合、Ｒの波長＞Ｙの波長＞Ｇの波長＞Ｂの波長であるから、例えば、Ｒ画素の液晶層の厚み＞Ｙ画素の液晶層の厚み＞Ｇ画素の液晶層の厚み＞Ｂ画素の液晶層の厚みとし、Ｒ画素、Ｙ画素、Ｇ画素、Ｃ画素、およびＢ画素それぞれに同一階調が所定期間連続して表示されるときには、Ｒ画素に供給する正・負極性信号電位の中間値＞Ｙ画素に供給する正・負極性信号電位の中間値＞Ｇ画素に供給する正・負極性信号電位の中間値＞Ｂ画素に供給する正・負極性信号電位の中間値となるように、各画素に供給する信号電位を設定する。
【００６７】
また、図１９に示すように、Ｒ画素ＲＰの液晶層の厚みＬＲ＝Ｙ画素ＹＰの液晶層の厚みＬＹ＝Ｇ画素ＧＰの液晶層の厚みＬＧ＞Ｂ画素ＢＰの液晶層の厚みＬＢとし、Ｒ画素、Ｙ画素、Ｇ画素、およびＢ画素それぞれに同一階調が所定期間連続して表示されるときには、Ｒ画素に供給する正・負極性信号電位の中間値＝Ｙ画素に供給する正・負極性信号電位の中間値＝Ｇ画素に供給する正・負極性信号電位の中間値＞Ｂ画素に供給する正・負極性信号電位の中間値となるように、各画素に供給する信号電位を設定することもできる。
【００６８】
具体的には図２０に示すように、階調Ｔを表示させるときには、Ｒ画素の引き込み電圧ΔＱＲＴ＝Ｙ画素の引き込み電圧ΔＱＹＴ＝Ｇ画素の引き込み電圧ΔＱＧＴ＞Ｂ画素の引き込み電圧ΔＱＢＴとなることを考慮して、Ｒ画素に供給する正極性信号電位ＳＨＲＴ、Ｒ画素に供給する負極性信号電位ＳＬＲＴ、ＳＨＲＴとＳＬＲＴの中間値ＳＭＲＴ、Ｇ画素に供給する正極性信号電位ＳＨＧＴ、Ｙ画素に供給する負極性信号電位ＳＬＹＴ、ＳＨＹＴとＳＬＹＴの中間値ＳＭＹＴ、Ｇ画素に供給する負極性信号電位ＳＬＧＴ、ＳＨＧＴとＳＬＧＴの中間値ＳＭＧＴ、Ｂ画素に供給する正極性信号電位ＳＨＢＴ、Ｂ画素に供給する負極性信号電位ＳＬＢＴ、ＳＨＢＴとＳＬＢＴの中間値ＳＭＢＴを設定している。
【００６９】
すなわち、Ｒ画素について、正極性信号電位ＳＨＲＴ＝正極性実効電位ＥＨＲＴ＋引き込み電圧ΔＱＲＴ、負極性信号電位ＳＬＲＴ＝負極性実効電位ＥＬＲＴ＋引き込み電圧ΔＱＲＴ、対向電極（共通電極）電位Ｖｃｏｍ＝正・負極性実効電位の中間値＝（ＥＨＲＴ＋ＥＬＲＴ）／２、正・負極性信号電位の中間値ＳＭＲＴ＝（ＳＨＲＴ＋ＳＬＲＴ）／２＝Ｖｃｏｍ＋ΔＱＲＴとしている。また、Ｙ画素について、正極性信号電位ＳＨＹＴ＝正極性実効電位ＥＨＹＴ＋引き込み電圧ΔＱＹＴ、負極性信号電位ＳＬＹＴ＝負極性実効電位ＥＬＹＴ＋引き込み電圧ΔＱＹＴ、対向電極（共通電極）電位Ｖｃｏｍ＝正・負極性実効電位の中間値＝（ＥＨＹＴ＋ＥＬＹＴ）／２、正・負極性信号電位の中間値ＳＭＹＴ＝（ＳＨＹＴ＋ＳＬＹＴ）／２＝Ｖｃｏｍ＋ΔＱＹＴとしている。また、Ｇ画素について、正極性信号電位ＳＨＧＴ＝正極性実効電位ＥＨＧＴ＋引き込み電圧ΔＱＧＴ、負極性信号電位ＳＬＧＴ＝負極性実効電位ＥＬＧＴ＋引き込み電圧ΔＱＧＴ、対向電極（共通電極）電位Ｖｃｏｍ＝正・負極性実効電位の中間値＝（ＥＨＧＴ＋ＥＬＧＴ）／２、正・負極性信号電位の中間値ＳＭＧＴ＝（ＳＨＧＴ＋ＳＬＧＴ）／２＝Ｖｃｏｍ＋ΔＱＧＴとしている。また、Ｂ画素について、正極性信号電位ＳＨＢＴ＝正極性実効電位ＥＨＢＴ＋引き込み電圧ΔＱＢＴ、負極性信号電位ＳＬＢＴ＝負極性実効電位ＥＬＢＴ＋引き込み電圧ΔＱＢＴ、対向電極（共通電極）電位Ｖｃｏｍ＝正・負極性実効電位の中間値＝（ＥＨＢＴ＋ＥＬＢＴ）／２、正・負極性信号電位の中間値ＳＭＢＴ＝（ＳＨＢＴ＋ＳＬＢＴ）／２＝Ｖｃｏｍ＋ΔＱＢＴとしている。したがって、図２０に示すように、ＳＭＲＴ＝Ｖｃｏｍ＋ΔＱＲＴ＝ＳＭＹＴ＝Ｖｃｏｍ＋ΔＱＹＴ＝ＳＭＧＴ＝Ｖｃｏｍ＋ΔＱＧＴ＞ＳＭＢＴ＝Ｖｃｏｍ＋ΔＱＢＴとなる。
【００７０】
また、Ｒ・Ｇ・Ｂ・Ｙ（黄色）・Ｃ（シアン）の５種類でもよい。Ｒ・Ｇ・Ｂ・Ｙ・Ｃの５種類の画素を設ける場合には、Ｒの波長＞Ｙの波長＞Ｇの波長＞Ｃの波長＞Ｂの波長であるから、例えば、Ｒ画素の液晶層の厚み＞Ｙ画素の液晶層の厚み＞Ｇ画素の液晶層の厚み＞Ｃ画素の液晶層の厚み＞Ｂ画素の液晶層の厚みとし、Ｒ画素、Ｙ画素、Ｇ画素、Ｃ画素、およびＢ画素それぞれに同一階調が所定期間連続して表示されるときには、Ｒ画素に供給する正・負極性信号電位の中間値＞Ｙ画素に供給する正・負極性信号電位の中間値＞Ｇ画素に供給する正・負極性信号電位の中間値＞Ｃ画素に供給する正・負極性信号電位の中間値＞Ｂ画素に供給する正・負極性信号電位の中間値となるように、各画素に供給する信号電位を設定する。
【００７１】
また、上記の説明は、走査信号線が選択状態から非選択化されるときに該走査信号線の電位が低下する（走査信号が「Ｈｉｇｈ」アクティブである）液晶表示装置についてのものであるが、走査信号線が選択状態から非選択化されるときに該走査信号線の電位が上昇する（走査信号が「Ｌｏｗ」アクティブである）液晶表示装置でも構わない。ただこのような液晶表示装置では、トランジスタがＯＦＦ（走査信号が非アクティブ化）したときに、画素（画素電極）の電位が上昇する（突き上げ電圧が発生する）ため、第１画素の液晶層の厚み＞第２画素の液晶層の厚み＞第３画素の液晶層の厚みとして、第１〜第３画素それぞれに同一階調が所定期間連続して表示されるときには、第１画素に供給する正・負極性信号電位の中間値＜第２画素に供給する正・負極性信号電位の中間値＜第３画素に供給する正・負極性信号電位の中間値となるように、各画素に供給する信号電位を設定することになる。
【００７２】
上記の説明ではソースドライバに入力される画像データ信号を１０ビットデータとして説明いるが、もちろん他のビット数でもよい。
【００７３】
本発明の液晶表示装置は、複数の走査信号線と、複数のデータ信号線と、第１液晶層を含む第１画素と、第１液晶層以下の厚みの第２液晶層を含む第２画素と、第２液晶層よりも小さな厚みの第３液晶層を含む第３画素とを備え、１本の走査信号線が選択状態から非選択化されるときに該走査信号線の電位が低下する液晶表示装置であって、第１〜第３画素それぞれに同一の階調が所定期間連続して表示されるときには、第１画素に第１正極性信号電位と第１負極性信号電位とが交互に供給され、第２画素に第２正極性信号電位と第２負極性信号電位とが交互に供給され、第３画素に第３正極性信号電位と第３負極性電位とが交互に供給され、上記第１正極性信号電位および第１負極性信号電位の中間値（振幅中心）である第１中間値は、上記第２正極性信号電位および第２負極性信号電位の中間値（振幅中心）である第２中間値以上に設定され、該第２中間値は、上記第３正極性信号電位および第３負極性信号電位の中間値（振幅中心）である第３中間値よりも高く設定されていることを特徴とする。
【００７４】
第１液晶層の厚み≧第２液晶層の厚み＞第３液晶層の厚みとなるマルチギャップ構造の液晶表示装置では、第３画素の液晶容量＞第２画素の液晶容量≧第１画素の液晶容量となるため、第１〜第３画素に同一階調を表示するときでも、第１画素での引き込み電圧≧第２画素での引き込み電圧＞第３画素での引き込み電圧となる。そこで上記のように、第１中間値≧第２中間値＞第３中間値とすれば、画素間の引き込み電圧の相異を補償することができ、画素の焼き付き等の問題を改善することができる。
【００７５】
本液晶表示装置では、第１液晶層は第１画素に含まれる画素電極と共通電極との間に配され、第２液晶層は第２画素に含まれる画素電極と上記共通電極との間に配され、第３液晶層は第３画素に含まれる画素電極と上記共通電極との間に配され、上記第１〜第３中間値それぞれが、上記共通電極の電位よりも高く設定されている構成とすることもできる。
【００７６】
本液晶表示装置では、第１中間値は、上記共通電極の電位に、上記階調を表示するときの第１画素での引き込み電圧を加えたものであり、第２中間値は、上記共通電極の電位に、上記階調を表示するときの第２画素での引き込み電圧を加えたものであり、第３中間値は、上記共通電極の電位に、上記階調を表示するときの第３画素での引き込み電圧を加えたものである構成とすることもできる。
【００７７】
本液晶表示装置では、第１画素に対応する色の波長は第２画素に対応する色の波長よりも長く、第２画素に対応する色の波長は第３画素に対応する色の波長よりも長い構成とすることもできる。
【００７８】
本液晶表示装置では、第１画素が赤、第２画素が緑、第３画素が青に対応している構成とすることもできる。
【００７９】
本液晶表示装置では、第１液晶層の厚み＝第２液晶層の厚み＞第３液晶層の厚みであり、上記第１中間値＝第２中間値＞第３中間値に設定されている構成とすることもできる。
【００８０】
本液晶表示装置では、上記第１〜第３中間値が、上記階調に応じて決定されている構成とすることもできる。
【００８１】
本液晶表示装置では、第１〜第３液晶層はＶＡモードである構成とすることもできる。
【００８２】
本液晶表示装置では、第１液晶層以下で第２液晶層以上の厚みの第４液晶層を含む第４画素をさらに備え、上記第４画素にも第１〜第３画素と同一の階調が所定期間連続して表示されるときには、第４画素に第４正極性信号電位と第４負極性電位とが交互に供給され、上記第１中間値は、上記第４正極性信号電位および第４負極性信号電位の中間値である第４中間値以上に設定され、上記第２中間値は、第４中間値以下に設定されている構成とすることもできる。
【００８３】
本液晶表示装置では、第１画素が赤、第２画素が緑、第３画素が青、第４画素が黄に対応している構成とすることもできる。
【００８４】
本液晶表示装置では、上記第１液晶層の厚み＝第２液晶層の厚み＝第４液晶層の厚み＞第３液晶層の厚みであり、上記第１中間値＝第２中間値＝第４中間値＞第３中間値に設定されている構成とすることもできる。
【００８５】
本液晶表示装置の駆動回路は、複数の走査信号線と、複数のデータ信号線と、第１液晶層を含む第１画素と、第１液晶層以下の厚みの第２液晶層を含む第２画素と、第２液晶層よりも小さな厚みの第３液晶層を含む第３画素とを備え、１本の走査信号線が選択状態から非選択化されるときに該走査信号線の電位が低下する液晶表示装置を駆動するための、液晶表示装置の駆動回路であって、第１〜第３画素それぞれに同一の階調を所定期間連続して表示するときには、第１画素に第１正極性信号電位と第１負極性信号電位とを交互に供給し、第２画素に第２正極性信号電位と第２負極性信号電位とを交互に供給し、第３画素に第３正極性信号電位と第３負極性電位とを交互に供給し、上記第１正極性信号電位および第１負極性信号電位の中間値である第１中間値を、上記第２正極性信号電位および第２負極性信号電位の中間値である第２中間値以上に設定し、該第２中間値を、上記第３正極性信号電位および第３負極性信号電位の中間値である第３中間値よりも高く設定していることを特徴とする。
【００８６】
本液晶表示装置の駆動方法は、複数の走査信号線と、複数のデータ信号線と、第１液晶層を含む第１画素と、第１液晶層以下の厚みの第２液晶層を含む第２画素と、第２液晶層よりも小さな厚みの第３液晶層を含む第３画素とを備え、１本の走査信号線が選択状態から非選択化されるときに該走査信号線の電位が低下する液晶表示装置を駆動するための、液晶表示装置の駆動方法であって、第１〜第３画素それぞれに同一の階調を所定期間連続して表示するときには、第１画素に第１正極性信号電位と第１負極性信号電位とを交互に供給し、第２画素に第２正極性信号電位と第２負極性信号電位とを交互に供給し、第３画素に第３正極性信号電位と第３負極性電位とを交互に供給し、
上記第１正極性信号電位および第１負極性信号電位の中間値である第１中間値を、上記第２正極性信号電位および第２負極性信号電位の中間値である第２中間値以上に設定し、該第２中間値を、上記第３正極性信号電位および第３負極性信号電位の中間値である第３中間値よりも高く設定していることを特徴とする。
【００８７】
本テレビジョン受像機は、上記液晶表示装置と、テレビジョン放送を受信するチューナ部とを備えることを特徴とする。
【００８８】
本発明は上記の実施の形態に限定されるものではなく、上記の実施の形態を公知技術や技術常識に基づいて適宜変更したものやそれらを組み合わせて得られるものも本発明の実施の形態に含まれる。また、実施の形態で記載した作用効果等もほんの例示に過ぎない。
【産業上の利用可能性】
【００８９】
本発明の液晶表示装置およびその駆動回路は、例えば液晶テレビ、液晶モニターに好適である。
【符号の説明】
【００９０】
ＳＨＲ１０２３  正極性信号電位（Ｒ１０２３階調表示）
ＳＬＲ１０２３  負極性信号電位（Ｒ１０２３階調表示）
ＳＭＲ１０２３  信号電位中間値（Ｒ１０２３階調表示）
ＥＨＲ１０２３  正極性実効電位（Ｒ１０２３階調表示）
ＥＬＲ１０２３  負極性実効電位（Ｒ１０２３階調表示）
ΔＱＲ１０２３  引き込み電圧（Ｒ１０２３階調表示時）
ＳＨＧ１０２３  正極性信号電位（Ｇ１０２３階調表示）
ＳＬＧ１０２３  負極性信号電位（Ｇ１０２３階調表示）
ＳＭＧ１０２３  信号電位中間値（Ｇ１０２３階調表示）
ＥＨＧ１０２３  正極性実効電位（Ｇ１０２３階調表示）
ＥＬＧ１０２３  負極性実効電位（Ｇ１０２３階調表示）
ΔＱＧ１０２３  引き込み電圧（Ｇ１０２３階調表示）
ＳＨＢ１０２３  正極性信号電位（Ｂ１０２３階調表示）
ＳＬＢ１０２３  負極性信号電位（Ｂ１０２３階調表示）
ＳＭＢ１０２３  信号電位中間値（Ｂ１０２３階調表示）
ＥＨＢ１０２３  正極性実効電位（Ｂ１０２３階調表示）
ＥＬＢ１０２３  負極性実効電位（Ｂ１０２３階調表示）
ΔＱＢ１０２３  引き込み電圧（Ｂ１０２３階調表示）
Ｖｃｏｍ  共通電極電位
６０  液晶パネル（ＶＡ  ノーマリブラック）
７０  表示制御回路
８０  ゲートドライバ
９０  ソースドライバ
【図１】
2010122753.tif 000003
【図２】
2010122753.tif 000004
【図３】
2010122753.tif 000005
【図４】
2010122753.tif 000006
【図５】
2010122753.tif 000007
【図６】
2010122753.tif 000008
【図７】
2010122753.tif 000009
【図８】
2010122753.tif 000010
【図９】
2010122753.tif 000011
【図１０】
2010122753.tif 000012
【図１１】
2010122753.tif 000013
【図１２】
2010122753.tif 000014
【図１３】
2010122753.tif 000015
【図１４】
2010122753.tif 000016
【図１５】
2010122753.tif 000017
【図１６】
2010122753.tif 000018
【図１７】
2010122753.tif 000019
【図１８】
2010122753.tif 000020
【図１９】
2010122753.tif 000021
【図２０】
2010122753.tif 000022
【図２１】
2010122753.tif 000023
【国際調査報告】
2010122753.tif 000024
2010122753.tif 000025